(57)【要約】【課題】  万年茸の子実体から得られるトリテルペン類の量をなるべく多くできる万年茸の栽培方法等を提供することを目的とする。【解決手段】  鹿角状に生育される万年茸の子実体を生育するに際し、赤色光を照明５０で発し、子実体に照射する。このとき、照明５０では、波長６００〜７００ｎｍを分光パワーのピークとし、波長６００ｎｍ未満の分光パワーが５０％以下である赤色光を照射する。これにより、分岐が多く、表面積の大きい子実体を成育し、トリテルペン類を多く含む子実体を得る。【選択図】図３
2006025765.tif 000002
【特許請求の範囲】
【請求項１】
万年茸の菌を植え付けた菌床を、所定の生育期間の間、所定の温度・湿度環境下に保持するとともに、前記菌床に対し、赤色光を照射し、前記菌床から鹿角状に生える前記万年茸の子実体を生育することを特徴とする万年茸の栽培方法。
【請求項２】
万年茸の菌を植え付けた菌床を、所定の生育期間の間、所定の温度・湿度環境下に保持するとともに、前記菌床に対し、分光パワーのピークを波長６００〜７００ｎｍに有し、波長６００ｎｍ未満における分光パワーが５０％以下である光を照射し、前記菌床から鹿角状に生える前記万年茸の子実体を生育することを特徴とする万年茸の栽培方法。
【請求項３】
前記光は、波長６００〜７００ｎｍにおける分光パワーのピークが８０％以上であることを特徴とする請求項２に記載の万年茸の栽培方法。
【請求項４】
鹿角状の万年茸を生育するための生育システムであって、
前記万年茸の菌が植え付けられた菌床を複数保持する菌床保持部と、
前記菌床保持部に保持された前記菌床に対し、赤色光を照射する照明部と、
前記菌床保持部に保持された前記菌床を所定の温度・湿度環境に維持する環境維持部と、
を備えることを特徴とする生育システム。
【請求項５】
前記照明部は、波長６００〜７００ｎｍを分光パワーのピークとし、波長６００ｎｍ未満の分光パワーが５０％以下である前記赤色光を照射することを特徴とする請求項４に記載の生育システム。
【請求項６】
前記照明部は、赤色光源であることを特徴とする請求項４または５に記載の生育システム。
【請求項７】
前記照明部は、白色光源と、波長６００ｎｍ未満の光を遮断するフィルタとから構成されることを特徴とする請求項４または５に記載の生育システム。
【発明の詳細な説明】
【技術分野】
【０００１】
本発明は、子実体が鹿角状に生育する万年茸の栽培方法、およびそれに用いるのに適した生育システムに関する。
【背景技術】
【０００２】
万年茸はサイワイタケとも称される茸類であり、中国名では霊芝（れいし）とも称され、旧来より床飾り等の鑑賞用とされていた。
近年、霊芝の薬効効果が注目され、霊芝は顆粒、錠剤等の形態で健康補助食品として提供されている。
【０００３】
万年茸を栽培するには、おが屑や米ぬか、ふすま等を混ぜたもの（これを培地と称する）を培養袋や広口ビン等の容器に充填した後、この培地に菌を植え付け、これを一定期間培養させる。すると、菌（菌糸）が容器内の培地に蔓延し、いわゆる菌床が得られる。この菌床を所定範囲内の湿度・温度・照度環境に維持することで菌床から万年茸の子実体が生えてくるので、この環境を一定期間維持して子実体を所望の大きさに生育させる。そして、生育した子実体を収穫し、粉砕、エキス抽出、粉末化といった工程を経て、顆粒、錠剤、カプセル等といった形態の健康補助食品とする。
【０００４】
このような万年茸の子実体を十分に生育させ、安定して収穫を得るには、直射日光を遮断しつつも、ある程度明るい環境を維持する必要があるのが既にわかっている（例えば、特許文献１参照。）。
しかしながら、自然光を光源とした場合、天候や季節等によりその照度が大きく変動するため、子実体の栽培環境を安定させることができず、その結果、子実体の収穫量も不安定なものとなる。
そこで、屋内で自然光を遮断した状態とし、人工的な照明によって照度を一定に維持し、子実体の生育を行うことも既に行われている（例えば、特許文献２参照。）。
【０００５】
【特許文献１】特公昭５７−３９６０５号公報（第２頁）
【特許文献２】特開平１１−１４６７２８号公報（第３頁）
【発明の開示】
【発明が解決しようとする課題】
【０００６】
ところで、万年茸に含まれるトリテルペン類には、多くの薬理作用が報告されている。
例えば、Ganoderic acid Fは、血圧上昇を抑制するアンジオテンシン変換酵素阻害活性を有し、Ganoderic acid Aは、ファネシルトランスフェラーゼ作用、β−グルクロニダーゼ阻害活性、肝保護作用を有し、Lucidenic acid OおよびLucidenic lactoneは、真核細胞由来のＤＮＡポリメラーゼ抑制作用を有し、Ganoderic acid A、B、G、HおよびCompound C6は、抗Nociceptive活性を有し、Ganoderic acid F、Ganodermanontriolは、抗ＨＩＶおよび補体活性を有し、Ganoderic acid β、Lucidumol BおよびGanolucidic acid AはＨＩＶ−１プロテアーゼ阻害活性を有し、Lucidumol A、Lucidumol B、Ganodermanondiol、 Ganoderiol F、Ganodermanontriolは、がん細胞に対する毒性を有することが知られている。
【０００７】
このため、万年茸を十分にかつ安定して生育させることのできる手法だけでなく、生育した万年茸の子実体から得られるトリテルペン類の量をなるべく多くできる手法が模索されている。
本発明は、このような技術的課題に基づいてなされたもので、万年茸の子実体から得られるトリテルペン類の量をなるべく多くできる万年茸の栽培方法等を提供することを目的とする。
【課題を解決するための手段】
【０００８】
上記したような薬理作用を有するトリテルペン類は、通常の万年茸（傘状の万年茸）の子実体において、傘の外皮、菌柄等の部位に多く含まれていることが認められている（例えば、非特許文献１参照。）。
【０００９】
【非特許文献１】善本知孝他、「マンネンタケの抽出成分」、日本木材学会、１９８４年、第３４回日本木材学会大会研究発表要旨集、pp103
【００１０】
万年茸には、傘が開いておらず、鹿角状に伸びたような形状を有する、いわゆる鹿角霊芝と称されるものがある。
本発明者らは、この鹿角霊芝についての研究を行っていた。鹿角状に生育した霊芝は、傘状の万年茸における傘の外皮、菌柄等に相当する部位も無く、トリテルペン類がどのような部位に局在しているか、未知であった。そこで、本発明者がトリテルペン類の局在部位を調べたところ、鹿角状の万年茸の場合、トリテルペン類は、子実体全体の表層部に局在していることが判明した。
【００１１】
この知見に基づき、本発明者は、鹿角状の万年茸の表面積を大きくすれば、子実体から得られるトリテルペン類の量を増やせるのではないかと考え、万年茸の表面積を大きくできる方法の検討を続けた。
その結果、赤色光を照射すると、鹿角状の子実体の分岐数が増え、これによって表面積が大きくなることを知見した。
【００１２】
この知見に基づいてなされた本発明の万年茸の栽培方法は、万年茸の菌を植え付けた菌床を、所定の生育期間の間、所定の温度・湿度環境下に保持するとともに、菌床に対し、赤色光を照射し、菌床から鹿角状に生える万年茸の子実体を生育することを特徴とする。このようにして赤色光を菌床に照射することで、鹿角状の子実体の分岐数が増え、表面積も大きくなる。鹿角状の万年茸の場合、トリテルペン類は、子実体全体の表層部に局在していることから、表面積の大きな子実体を生育することで、トリテルペン類の含有量を増やすことが可能となる。
【００１３】
また、本発明は、万年茸の菌を植え付けた菌床を、所定の生育期間の間、所定の温度・湿度環境下に保持するとともに、菌床に対し、分光パワー（比エネルギー）のピークを波長６００〜７００ｎｍに有し、波長６００ｎｍ未満における分光パワーが５０％以下である光を照射して、菌床から鹿角状に生える万年茸の子実体を生育することを特徴とする万年茸の栽培方法として捉えることもできる。波長６００〜７００ｎｍの光は赤色光である。波長６００ｎｍ未満における光の分光パワーを５０％以下とすることで、青色光の成分を抑制する。このように、赤色光を主体とし、青色光を実質的に含まない光を菌床に照射することで、鹿角状の子実体の分岐数を増やして表面積を大きくし、トリテルペン類の含有量を増やすことが可能となる。このとき、照射する光は、波長６００〜７００ｎｍにおける分光パワーのピークが８０％以上となるようにするのが好ましい。
【００１４】
本発明は、鹿角状の万年茸を生育するための生育システムとして捉えることもできる。この生育システムは、万年茸の菌が植え付けられた菌床を複数保持する菌床保持部と、菌床保持部に保持された菌床に対し、赤色光を照射する照明部と、菌床保持部に保持された菌床を所定の温度・湿度環境に維持する環境維持部と、を備えることを特徴とする。
そして、照明部は、波長６００〜７００ｎｍを分光パワーのピークとし、波長６００ｎｍ未満の分光パワーが５０％以下である赤色光を照射するのが好ましい。この場合も、照射部で照射する光は、波長６００〜７００ｎｍにおける分光パワーのピークが８０％以上となるようにするのが好ましい。
このような照明部としては、赤色蛍光灯、赤色ＬＥＤ等の赤色光源を用いることができる。また、白色光源と、波長６００ｎｍ未満の光を遮断するフィルタとから照明部を構成することもできる。
【発明の効果】
【００１５】
本発明によれば、鹿角状の万年茸の子実体を生育するに際し、赤色光を菌床に照射することで、鹿角状の子実体の分岐数を増やし、表面積を大きくすることができる。これにより、鹿角状の万年茸の子実体全体の表層部に局在しているトリテルペン類の含有量を増やすことが可能となる。
【発明を実施するための最良の形態】
【００１６】
以下、添付図面に示す実施の形態に基づいてこの発明を詳細に説明する。
図１は、万年茸の子実体を生育させるための菌床１０を示すものである。
菌床１０は、その一面が開口した袋体１１内に、培地１２が充填され、この培地１２に万年茸の菌が蔓延した状態のものである。
この菌床１０を得るには、まず、ブナ、ナラ等の広葉樹のおが屑に、栄養材として、米ぬか、ふすま、コーンブラン（とうもろこしの実の皮等を粉砕したもの）等を所定の配合比で配合し、必要に応じて水を加え、水分率を例えば６５％程度に調製し、培地１２を準備する。
そして、この培地１２を、培養袋に所定量（例えば２ｋｇ）充填する。この培養袋には、その開口部近傍に通気フィルタが設けられている。
続いて、培養袋に充填された培地１２を、例えば直方体状の所定形状に成形する。そして、この培地１２を、高温殺菌装置等において、所定温度（例えば１２０℃）で所定時間（例えば６０分）殺菌した後、所定時間放置して室温まで放冷させる。
【００１７】
その後、培養袋の開口部から、培地１２上に、万年茸の菌（種菌）を所定量（例えば３０ｇ）供給し、いわゆる植菌を行う。続いて、培養袋の開口部を、ヒートシーラーで熱圧着する等して、密閉する。このとき、培養袋の通気フィルタは、密閉部分よりも下方にあり、これによって培地１２の呼吸が可能となっている。
植菌を行った培地１２は、日光の当たらない室内で、所定温度（例えば２８℃）で所定期間（例えば３０日間）置かれ、いわゆる培養が行われる。
培養の結果、植菌された万年茸の菌が培地１２の全体に蔓延した状態となる。
【００１８】
培養期間の終了後、菌が蔓延した状態の培地１２が納められた培養袋を、その上部において側面全周にわたってナイフ等で切開する。これにより、上面が開口した袋体１１内の培地１２に万年茸の菌が蔓延した状態の菌床１０が得られる。また、切開後、その切開部分より下方に残る培養袋が、前記の袋体１１である。
このような菌床１０は、所定数が手持ち用のトレー１９に載せられて、後述する生育ラック２０にセットされ、栽培室４０内で、所定期間、所定の栽培環境に維持されることで、菌床１０から子実体１００を生育することができるようになっている。
【００１９】
図２は、このような生育過程で用いる生育ラック２０を示すものである。
この生育ラック２０は、例えば金属製のパイプ材、アングル材等によって形成することができ、所定本数の支柱２１に、複数段（例えば３段）の棚段（菌床保持部）２２ａ、２２ｂ、２２ｃと、天板２３とが支持されている。最下段の棚段２２ａの底面には、この生育ラック２０を移動可能とするための車輪２４が所定数設けられている。
図３に示すように、生育ラック２０の棚段２２ａ、２２ｂ、２２ｃ上には、菌床１０を載せた手持ち用のトレー１９が、所定数セットされる。
【００２０】
生育ラック２０には、照明（照明部）５０が、棚段２２ａ、２２ｂ、２２ｃ上にセットされた各菌床１０に、所定範囲内の照度の赤色光を照射できるように設けられている。
この照明５０では、菌床１０から、分岐が多く表面積の大きい子実体１００を生育させるため、波長６００〜７００ｎｍの赤色光を発する。
万年茸の子実体１００は、例えば波長３５０〜５００ｎｍといった短い波長の青色光を照射すると、その光源に向けて生育する（伸びる）性質を有している。このように一方向に向けて子実体１００が生育すると、自ずと分岐が少なくなる。このため、波長３５０〜５００ｎｍといった帯域の波長を含まない光を照明５０で発し、子実体１００に照射するのが好ましい。すなわち、照明５０では、波長６００〜７００ｎｍを分光パワーのピークとし、波長６００ｎｍ未満の分光パワーが５０％以下である赤色光を照射するのが好ましく、さらに、波長６００〜７００ｎｍにおける分光パワーのピークが８０％以上となるようにするのが好ましい。
【００２１】
照明５０は、例えば図３に示すように、赤色蛍光灯を、棚段２２ａ、２２ｂ、２２ｃ上の空間を、その中央部において貫通するよう設ける構成とすることができる。
また、棚段２２ａ、２２ｂ、２２ｃ上の空間に対し、天井面となる上段の棚段２２ｂ、２２ｃ、天板２３の下面に、照明５０として赤色蛍光灯等を設けることもできる。
この他、照明５０としては、例えば、赤色ＬＥＤ（Light Emitting Diode）、光ファイバ等の点状光源、ディスプレイ等に用いられる、ＥＬ（Electroluminescence）、プラズマディスプレイ、ＣＲＴ（Cathode-ray Tube）、液晶パネル、液晶パネルのバックライト等の光源を用いることができる。また、波長６００〜７００ｎｍの赤色光を照射できるのであれば、例えば白色光を発する上記のような各種光源と、波長６００〜７００ｎｍの光のみを透過させるフィルタとを組み合わせたものを照明５０として用いることもできる。
さらに、このような照明５０は、点状の光源を複数組み合わせて線状、あるいは面状の構成としても良いし、線状の光源を複数用い、面状の構成とすること等も可能である。
【００２２】
さて、菌床１０をセットした後、子実体１００を生育する過程では、図４に示すように、生育ラック２０の周囲全周をカバー３０によって覆うことも有効である。
カバー３０は、例えば所定幅を有したフィルムを生育ラック２０の周囲に巻き付けること等で形成することができる。カバー３０を形成するフィルムの材質としては、例えば、ポリブテン、ポリエチレン、ポリスチレン、ポリプロピレン、ポリエステル、ポリ塩化ビニリデン、ポリフッ化ビニリデン、ポリカーボネイト、ポリアミド、ポリエステルエラストマー、ポリアミドエラストマー、ポリシロキサン、ポリビニルイミダゾール、シリコーン、シリコーンポリカーボネイト等が挙げられる。このカバー３０は、必ずしも透明である必要はないが、成長過程の観察などのために、透明、若しくは半透明であることが望ましい。
【００２３】
図５に示すように、上記のようにしてカバー３０を装着した生育ラック２０は、生育ラック２０内の菌床１０から子実体１００を生育させるために、所定期間栽培室４０内に置かれる。
このような生育システムでは、所定の生育環境を実現するため、栽培室４０を、所定温度、所定湿度を維持するための空調設備（環境維持部）や加湿設備（環境維持部）を備えている。万年茸の子実体１００を生育させる場合、温度を例えば２０〜３５℃、より具体的には例えば２７℃、湿度を例えば４０％以上、より具体的には例えば５０〜７０％に維持した栽培室４０内に、生育ラック２０を約６０日間置く。すると、図６に示すように、生育ラック２０内の菌床１０から子実体１００が生え、最終的に鹿角状に生長する。
このとき、波長６００〜７００ｎｍの赤色光を照射して子実体１００を生育することで、子実体１００は、分岐が多く表面積の大きいものとなる。これにより、子実体１００の表層部に局在するトリテルペン類を多く得ることが可能となる。
【実施例】
【００２４】
〔実施例１〕
ここで、子実体の生育過程で照射する光による、トリテルペン類の量の違いを確認したのでその結果を示す。
【００２５】
（１）培地１２の作製
ブナやナラなどの広葉樹のおが屑粉に、栄養材として、米ぬか、ふすま、コーンブランなどを１０％程度添加し、水分率を６５％程度に調製したものを、市販の通気フィルタ付きの培養袋に約２ｋｇ充填し、１２０℃で約１時間程度保持して殺菌処理を行い、これを培地１２とした。培地１２のサイズは、縦１３０ｍｍ、横２００ｍｍ、高さ１２０ｍｍ、体積０．００３１２ｍ3の略直方体とした。
【００２６】
（２）植菌
殺菌処理後、室温まで放冷した培地１２に、万年茸の種菌約３０ｇを接種し、培養袋の開口部をヒートシーラーで熱圧着して密閉した。
（３）培養
約２８℃の温度で３０日間、万年茸の菌を培養し、培地１２全体に万年茸の菌が蔓延し、培地１２全体が白色を呈するまで培養を行った。
【００２７】
（４）子実体１００の生育
培養袋を培地１２の上面部分のところで開封して菌床１０上部を開放した。
その後、生育ラック２０中の菌床１０の占有体積比が８％以上となるように、生育ラック２０に複数個の菌床１０を設置した。生育ラック２０は、約１８６０ｍｍ×８６０ｍｍ×１５００ｍｍ、容積約２．４ｍ3とした。
【００２８】
生育ラック２０に配置した菌床１０に、照度１３０〜１６０ルクスに調整した光を照射し、温度２８℃、湿度８０％以上の環境下で、約６０日間かけて、子実体１００の生育を行った。ここで、菌床１０に照射する光には、実施例としては赤色蛍光灯を用い、比較例としては、白色蛍光灯、青色蛍光灯を用いた。図７は赤色蛍光灯の分光分布、図８は白色蛍光灯の分光分布、図９は青色蛍光灯の分光分布の例である。
生育期間の完了後、それぞれ、生育した子実体１００を観察して比較した。また、生育した子実体１００を収穫し、その収量（培地１ｋｇあたりの収量）を計測した。
【００２９】
その結果、生育した子実体１００は、いずれの条件においても、傘のない鹿角状となった。図１０に示すように、青色蛍光灯を用いて生育した子実体１００は、薄い黄土色で、分岐が少なく、太い形状となった。また図１１に示すように、赤色蛍光灯を用いて生育した子実体１００は、濃い褐色で分岐が多く、それぞれの分岐した枝状の部分が細い形状となった。図１２に示すように、白色蛍光灯を用いて生育した子実体１００は、濃い褐色で、分岐の数および分岐した枝状の部分の太さは、青色蛍光灯を用いたものと赤色蛍光灯を用いたものの中間となった。
また、表１に示すように、収量は、赤色蛍光灯（赤色光）＜青色蛍光灯（青色光）＜白色蛍光灯（白色光）となった。
【００３０】
【表１】
2006025765.tif 000003
【００３１】
続いて、トリテルペン類の量を測定した。
これには、上記のようにして得られた子実体１００を乾燥した後、回転刃の付いた破砕装置で粗粉砕した後、乾式ジェットミルによって微粉砕した。
得られた微粉砕物から、クロロホルムを用い、エキス抽出を行った。エキス抽出により得られた抽出液は、カラムクロマトグラフィーでトリテルペン類を分画し、減圧濃縮後、ＨＰＬＣ（高速液体クロマトグラフィー）にてトリテルペン類の量を測定した。ＨＰＬＣにおける分析条件は、次の通りである。
カラム；東ソー  ＴＳＫ−ＧＥＬ  ＯＤＳ−８０ＴＭ  （４．６φ×１５０［ｍｍ］）
移動相；Ganoderic alcohol Fr.  アセトニトリル：２［％］酢酸  ６０：４０
Ganoderic acid Fr.     アセトニトリル：２［％］酢酸  ３０：７０
流量；１［ｍｌ／ｍｉｎ］
ＨＰＬＣ装置；日立  Ｄ−７０００  ＨＳＭ
【００３２】
分析の結果、子実体１００の生育に、青色蛍光灯を用いた場合、赤色蛍光灯を用いた場合、白色蛍光灯を用いた場合の、各トリテルペン類の含有量は、表２に示す通りであった。
【００３３】
【表２】
2006025765.tif 000004
【００３４】
表２に示すように、トリテルペン類の総量は、青色蛍光灯＜白色蛍光灯＜赤色蛍光灯であり、赤色蛍光灯を用いて生育した子実体１００では、青色蛍光灯、白色蛍光灯を用いて生育した場合に比較し、明らかにトリテルペン類の総量が多いことが確認された。また、比較のために、図１３に示すような、傘状の万年茸２００についても同様にトリテルペン類の含有量を測定したところ、生育に用いた光の色に関わらず、鹿角状の万年茸１００のほうが、傘状の万年茸２００よりもトリテルペン類の総量が遥かに多いことが確認された。
【００３５】
〔実施例２〕
また、上記実施例１と同様に、白色蛍光灯を用いて生育した鹿角状の子実体１００において、褐色に着色している表層部分を削り取り、削り取った部分（以下、これを「表皮」と称する）と、表皮が削り取られたことで残った部分（以下、これを「中身」と称する）とで、トリテルペン類の含有量を測定した。なお、表皮の重量は約１．４ｇであった。一方、中身の重量は約１４ｇであった。トリテルペン類の含有量の測定結果を表３に示す。
【００３６】
【表３】
2006025765.tif 000005
【００３７】
表３に示すように、トリテルペン類は、鹿角状の子実体１００の表皮に局在し、中身にはほとんど存在しないことが判明した。中身にも、１０９μｇ／ｇ程度のトリテルペン類が計測されたが、これは、表皮の褐色の部分の削り残しの部分が残存していることによると考えられる。
【００３８】
〔実施例３〕
さらに、上記実施例１と同様に、白色蛍光灯を用いて生育した鹿角状の子実体１００を、図１２に示すように、先端部１００ａ、中間部１００ｂ、根元部１００ｃの三つに分割した後、上記実施例１と同様にして、先端部１００ａ、中間部１００ｂ、根元部１００ｃをそれぞれ乾燥・粉砕し、実施例１と同様にしてトリテルペン類の含有量を測定した。その結果を表４に示す。
【００３９】
【表４】
2006025765.tif 000006
【００４０】
表４に示すように、全般に、部位によるトリテルペン類の含有量の差はほとんど認められなかった。
【００４１】
なお、上記実施の形態においては、カバー３０で覆った生育ラック２０を用いる構成としたが、これに限るものではなく、カバー３０や生育ラック２０を用いずに子実体１００を生育する場合であっても、本発明を適用することで同様の効果を得ることができる。また、菌床１０の作成方法や、その他の各種生育条件等についても、上記したものに限定するものではない。
これ以外にも、本発明の主旨を逸脱しない限り、上記実施の形態で挙げた構成を取捨選択したり、他の構成に適宜変更することが可能である。
【図面の簡単な説明】
【００４２】
【図１】本実施の形態における万年茸の栽培方法において用いる菌床を示す斜視図である。
【図２】子実体の生育に用いる生育ラックを示す斜視図である。
【図３】生育ラックに菌床をセットした状態を示す斜視図である。
【図４】生育ラックにカバーを設けた状態を示す斜視図である。
【図５】栽培室に生育ラックを収めた状態を示す図である。
【図６】子実体が生育した菌床を示す斜視図である。
【図７】赤色光の分光分布の一例を示す図である。
【図８】白色光の分光分布の一例を示す図である。
【図９】青色光の分光分布の一例を示す図である。
【図１０】青色光を用いて生育した子実体の例を示す図である。
【図１１】赤色光を用いて生育した子実体の例を示す図である。
【図１２】白色光を用いて生育した子実体の例を示す図である。
【図１３】傘状の子実体の例を示す図である。
【符号の説明】
【００４３】
１０…菌床、２０…生育ラック、２２ａ、２２ｂ、２２ｃ…棚段（菌床保持部）、３０…カバー、４０…栽培室、５０…照明（照明部）、１００…子実体
【図１】
2006025765.tif 000007
【図２】
2006025765.tif 000008
【図３】
2006025765.tif 000009
【図４】
2006025765.tif 000010
【図５】
2006025765.tif 000011
【図６】
2006025765.tif 000012
【図７】
2006025765.tif 000013
【図８】
2006025765.tif 000014
【図９】
2006025765.tif 000015
【図１０】
2006025765.tif 000016
【図１１】
2006025765.tif 000017
【図１２】
2006025765.tif 000018
【図１３】
2006025765.tif 000019